(57)【要約】【課題】小型、軽量に構成でき、狭い遊技機内でも大きな空間を占有することなく設けることができる遊技盤固定装置を提供する。【解決手段】先端部１ａがテーパ状に細径に形成され、両側面に切込部１ｃ，１ｄが形成された丸棒状の係合ピン１と、両板部１０ａ，１０ｂ間に所定幅の間隙１１が存するように形成され、該両板部に前記係合ピン１が挿入される挿入孔１３ａ，１３ｂが開設された係止受容体１０とからなり、相対する一対の弾性片１４ａ，１４ｂが弾性的に開閉可能なるように形成された板バネ１４を前記挿入孔の内側に隙間なく配設するとともに、該両弾性片を開閉させる操作軸２０を設ける。【選択図】図１
2015231448.tif 000002
【特許請求の範囲】
【請求項１】
先端部をテーパ状に細径に形成するとともに両側面に切込部を形成した係合ピンと、両板部間に所定幅の間隙が存するように形成するとともに該両板部に前記係合ピンが挿入される挿入孔を開設した係止受容体とからなり、前記係合ピンと前記係止受容体とは一方が遊技盤収容部に固設され、他方が遊技盤に設けられ、相対する一対の弾性片が弾性的に開閉可能なるように形成された板バネを前記係止受容体の両板部間の前記挿入孔の内側に隙間なく配設し、さらに、前記係止受容体に前記板部を貫通し前記両弾性片間に挟入することで該両弾性片を開閉させる操作軸を設け、該両弾性片を閉状態として前記遊技盤収容部に前記遊技盤を収容することで前記挿入孔に挿入された前記係合ピンの先端部が前記両弾性片を押し開き、前記両弾性片が弾性復帰することにより前記係合ピンの前記切込部に係合するようにしたことを特徴とする遊技盤固定装置。
【請求項２】
前記操作軸には大径部と小径部が形成され、該操作軸を操作し該大径部または該小径部を前記両弾性片間に挟入させることで該両弾性片が開閉するようにしたことを特徴とする請求項１に記載した遊技盤固定装置。
【発明の詳細な説明】
【技術分野】
【０００１】
本発明は遊技盤を遊技機内の遊技盤収容部に着脱可能に固定する装置に関するものである。
【背景技術】
【０００２】
遊技場に設けられるパチンコ遊技機は、一般に遊技盤を新しいものに交換できるように、遊技盤が遊技機内に着脱可能なるように固定されている。ここで、下記特許文献１には、ベース部材とクランプ部材とにより遊技盤の縁部を両面から挟着する遊技盤固定装置（クランプ装置）が示され、該装置は、アンクランプ部材を操作することによって該遊技盤を着脱可能に固定できるようにしている。
【先行技術文献】
【特許文献】
【０００３】
【特許文献１】特許第５４２０３４８号公報
【発明の概要】
【発明が解決しようとする課題】
【０００４】
ところで、特許文献１に示された遊技盤固定装置は、ベース部材とクランプ部材が遊技盤の縁部から外方に張り出すと共に、遊技盤の前方および後方にも張り出すことになるので遊技機内の狭い空間を大きく占有してしまうことになる。また、アンクランプ部材を操作し得るように遊技盤固定装置を遊技機内に設けなければならないので、遊技機内が狭くなってしまうことになる。そのため、近時益々複雑化し大型化するギミック等の可動演出装置等、他の機器を配置するに際し、遊技盤固定装置が邪魔になるなどといった不都合が生じていた。また、このような従来の遊技盤固定装置は、多くの部品から構成されるものであるため、どうしても製造コストが高くなってしまうという問題もあった。そこで、本発明は遊技盤固定装置のこのような課題を解決しようとするものである。
【課題を解決するための手段】
【０００５】
この課題を解決するために本発明に係る遊技盤固定装置は、先端部をテーパ状に細径に形成するとともに両側面に切込部を形成した係合ピンと、両板部間に所定幅の間隙が存するように形成するとともに該両板部に前記係合ピンが挿入される挿入孔を開設した係止受容体とからなり、前記係合ピンと前記係止受容体とは一方が遊技盤収容部に固設され、他方が遊技盤に設けられ、相対する一対の弾性片が弾性的に開閉可能なるように形成された板バネを前記係止受容体の両板部間の前記挿入孔の内側に隙間なく配設し、さらに、前記係止受容体に前記板部を貫通し前記両弾性片間に挟入することで該両弾性片を開閉させる操作軸を設け、該両弾性片を閉状態として前記遊技盤収容部に前記遊技盤を収容することで前記挿入孔に挿入された前記係合ピンの先端部が前記両弾性片を押し開き、前記両弾性片が弾性復帰することにより前記係合ピンの前記切込部に係合するようにしたことを特徴とする。
【０００６】
また、本発明は上記遊技盤固定装置において、前記操作軸には大径部と小径部が形成され、該操作軸を操作し該大径部または該小径部を前記両弾性片間に挟入させることで該両弾性片が開閉するようにしたことを特徴とする。
【発明の効果】
【０００７】
本発明に係る遊技盤固定装置は、部品点数が少なく製造コストを軽減できると共に、薄手で小型に構成することができ、狭い遊技機内でも大きな空間を占有することなく設けることができる。しかも、遊技盤をガタ付かせることなく堅固に固定することができる。
【図面の簡単な説明】
【０００８】
【図１】本発明に係る遊技盤固定装置の斜視図。
【図２】図１のＡ−Ａ線断面図。
【図３】図１のＢ−Ｂ線断面図。
【図４】図１のＣ−Ｃ線断面図。
【図５】図１のＤ−Ｄ線断面図。
【図６】図５の作動状態図。
【図７】本発明に係る遊技盤固定装置の板バネと操作軸の分解斜視図。
【図８】本発明に係る遊技盤固定装置を遊技機に設けたときの要部の縦断面図。
【図９】図８の作動状態図。
【図１０】本発明に係る遊技盤固定装置の係止受容体の他の実施形態を示す係止受容体の斜視図。
【図１１】本発明に係る遊技盤固定装置の操作軸の他の実施形態を示す係止受容体の斜視図。
【発明を実施するための最良の形態】
【０００９】
次に本発明の実施の形態について図面を参照しながら説明する。図１は、本発明に係る遊技盤固定装置の斜視図、図２乃至図５は、その断面図である。本発明に係る遊技盤固定装置は、係合ピン１と、平面視コ字形に形成され係合ピン１が挿入される挿入孔１３ａ，１３ｂが開設された係止受容体１０と、係止受容体１０内に配置される板バネ１４と、板バネ１４を開閉させる操作軸２０とによって概略構成されている。
【００１０】
前記係合ピン１は、図１及び図２に示すように、縦長矩形状の取付板２に対し垂直に固植された丸棒状のもので、その先端部１ａは、先端に行くに従って順次先細となるテーパ状に形成されている。また、係合ピン１の棒状部の両側には、平面に削られた切込部１ｃ，１ｄが形成されている。なお、図中３は、取付板２に一体に形成された位置決片で、４ａ，４ｂは、係合ピン１を装着するための取付孔である。
【００１１】
前記係止受容体１０は、図３乃至図５に示すように、鋼板をコ字状に折曲することで、平行に配置される板部１０ａと板部１０ｂとの間に所定幅の間隙１１が存するように形成されており、また、板部１０ｂの上下中央縁には、取付孔１２ａ，１２ｂが設けられた取付片が設けられている。さらに、係止受容体１０の両板部１０ａ，１０ｂの中央よりやや偏った位置には、前記係合ピン１が挿入される丸い挿入孔１３ａ，１３ｂが開設されている。
【００１２】
前記板バネ１４は、係止受容体１０の板部１０ａと板部１０ｂとの間隙１１に配設されている。この板バネ１４は、図７に示すように、定幅帯状の弾性金属材を折曲加工することにより相対する一対の弾性片１４ａ，１４ｂを弾性的に開閉可能なるように形成されている。また、板バネ１４の折曲基部には、取付部１４ｃが一体に設けられ、この取付部１４ｃに取付孔１４ｄが開設されている。そして、板バネ１４は、係止受容体１０の両板部１０ａ，１０ｂに取付ピン１５を貫挿し、取付ピン１５の先端部を取付孔１４ｄに貫挿させるので、板部１０ａの内面と板部１０ｂの内面との間に隙間なく取着される。
【００１３】
前記操作軸２０は、テーパ状部２０ｃを間にして大径部２０ａと小径部２０ｂとが形成されている。また、大径部２０ａ側の端部には、フランジ２０ｄが形成されており、小径部２０ｂ側の端部には、Ｅリング２１を止着するための括部２０ｅおよびプルリング２２を止着するための透孔２０ｆが形成されている。この操作軸２０は、係止受容体１０の板部１０ａ，１０ｂに進退動自在となるように背面から貫挿し、大径部２０ａ、又は小径部２０ｂが板バネ１４の両弾性片１４ａ，１４ｂの間に挟入されるようなっている。また、これにより、板バネ１４の両弾性片１４ａ，１４ｂの先端部付近が、係止受容体１０の両板部１０ａ，１０ｂに開設されている挿入孔１３ａ，１３ｂの内側において該挿入孔１３ａ，１３ｂを上下から挟むような位置関係となるように配設される。そして、Ｅリング２１及びプルリング２２をそれぞれ操作軸２０の前方突出部に止着することで、操作軸２０が受容体１０の両板部１０ａ，１０ｂに開設されている挿入孔１３ａ，１３ｂから抜脱しないようになっている。このため、プルリング２２を引っ張って操作軸２０を前方に移動させ、大径部２０ａを板バネ１４の両弾性片１４ａ，１４ｂ間に挟入させれば、両弾性片１４ａ，１４ｂの間隔が挿入孔１３ａ，１３ｂの直径よりも大きく広がり、反対に、操作軸２０を手で押して該操作軸２０を後退動させ、小径部２０ｂが両弾性片１４ａ，１４ｂ間に挟入するようにすれば、両弾性片１４ａ，１４ｂの間隔は弾性復元により挿入孔１３ａ，１３ｂの直径よりも小さく狭まることになる。
【００１４】
そして、前記係合ピン１と前記係止受容体１０とは、いずれか一方が遊技機の遊技盤収容部に固着され、他方が遊技盤に固着される。図８は、係合ピン１の取付板の取付孔４ａ，４ｂに通したビス３０により該係合ピン１を遊技盤収容部３２に固設し、係止受容体１０の板部１０ｂの取付孔１２ａ，１２ｂにビスを通すことにより該係止受容体１０を遊技盤３１に固設した例を示している。なお、係合ピン１は遊技盤３１の周縁部に必要に応じて複数個固設し、各係合ピン１と相対するように係止受容体１０についても遊技盤収容部３２に複数個固設する。
【００１５】
次に、図９によって、遊技盤３１を遊技盤収納部３２に脱着する方法を説明する。まず、遊技盤３１を遊技盤収容部３２に収容し、係止受容体１０の挿入孔１３ａ，１３ｂに係合ピン１を挿入する。この時、係合ピン１の先端部１ａによって板バネ１４の両弾性片１４ａ，１４ｂが押し開かれる。そして、さらに係合ピン１を挿入すると、両弾性片１４ａ，１４ｂが弾性復帰し、両弾性片１４ａ，１４ｂが係合ピン１の切込部１ｃ，１ｄに係合し、係合ピン１は係止受容体１０の挿入孔１３ａ，１３ｂから抜脱できなくなる。その結果、遊技盤３１が遊技盤収容部３２に固定されることになる。
【００１６】
他方、遊技盤３１を遊技盤収容部３２から離脱させるには、操作軸２０のプルリング２２を引っ張り、操作軸２０の大径部２０ａを板バネ１４の両弾性片１４ａ，１４ｂ間に挟入させ、両弾性片１４ａ，１４ｂの間隔を広げ、両弾性片１４ａ，１４ｂを係合ピン１の切込部１ｃ，１ｄから離間させる。このように両弾性片１４ａ，１４ｂを係合ピン１の切込部１ｃ，１ｄから離間させることによって、挿入孔１３ａ，１３ｂから係合ピン１を抜脱でき、遊技盤３１を遊技盤収容部３２から離脱することができる。
【００１７】
このように本発明に係る遊技盤固定装置は、板バネ１４の弾性片１４ａ，１４ｂを係合ピン１の切込部１ｃ，１ｄに係合させることにより、遊技盤３１を遊技盤収容部３２に堅固に固定することができる。すなわち、弾性片１４ａ，１４ｂは、板バネ１４を係止受容体１０の両板部１０ａ，１０ｂ間にて開閉可能なるように配設した構造であると共に、弾性片１４ａ，１４ｂは、両板部１０ａ，１０ｂに規制されることで、直交方向（係合ピン１の抜差方向）に無用に動くことがない。このため、遊技盤３１は、高精度に位置決めされるとともに、ガタ付きなく堅固に固定されることになる。また、係止受容体１０は、所定幅の間隙が存するように両板部１０ａ，１０ｂを形成すると共に、板バネ１４の弾性片１４ａ，１４ｂをその両板部間にて開閉するように配設したシンプルな構造としたことにより、弾性片１４ａ，１４ｂが両板部間から外に張り出すこともなく、薄手であって小型、軽量に構成することができる。このため、本発明の遊技盤固定装置は、狭い遊技機内で大きな空間を占有することなく、可動演出装置等、遊技盤に設けられる他の機器の邪魔になることなく設けることができる。また、本発明の遊技盤固定装置は、部品点数が従来の遊技盤固定装置に比較して非常に少なくできるので、製造コストを大幅に軽減することもできる。
【００１８】
図１０は、本発明に係る遊技盤固定装置の他の実施形態を示すものである。具体的には、操作軸２０の構成を若干変更したものである。なお、図１０において、前記実施の形態と同一の構成要素については同一符号を付している。この実施形態における係止受容体１０は、操作軸２０の前方突出部、すなわち、操作軸２０であって係止受容体１０の板部１０ａから外側へ突出した部分にコイルバネ２５を圧縮状態として外嵌し、該コイルバネ２５の弾性により操作軸２０が前方に引っ張られるように付勢して構成したものである。なお、図１０に示した操作軸２０には、コイルバネ２５の弾性により該操作軸２０が前方に引っ張られると板バネ１４の両弾性片１４ａ，１４ｂ間に挟入する小径部２０ｂと、該操作軸２０を後退させることにより板バネ１４の両弾性片１４ａ，１４ｂ間に挟入する大径部２０ａが形成されている。このため、コイルバネ２５の弾性に抗して操作軸２０の突出部分を手で押し該操作軸２０を後退させると、板バネ１４の両弾性片１４ａ，１４ｂの間隔が広がり、両弾性片１４ａ，１４ｂに係合されていた係合ピン１が抜脱されることになる。
【００１９】
図１１は、操作軸２０の他の変形例を示すものである。なお、この図１１においても、前記実施の形態と同一の構成要素については同一符号を付している。この実施形態における操作軸２０は、後端部にフランジ２０ｄを形成した軸体の軸方向略中間部に小径部２０ａと大径部２０ｂを有する扁平円柱形のカム体２６を固設すると共に、前端部に摘子２７を固設して形成されている。この操作軸２０は、カム体２６が係止受容体１０の両板部１０ａ，１０ｂ間にて板バネ１４の両弾性片１４ａ，１４ｂの間に挟入し、摘子２７が前方に突出するように係止受容体１０に回転自在に組み付けられている。このため、操作軸２０の摘子２７を９０度回転操作し、板バネ１４の両弾性片１４ａ，１４ｂ間に該カム体２６の小径部２０ａを挟入させたときは両弾性片１４ａ，１４ｂの間隔が狭まり、該カム体２６の大径部２０ｂを挟入させたときは両弾性片１４ａ，１４ｂの間隔が広くなる。このように、この実施形態における操作軸２０は、該操作軸２０を回転操作することで、係止受容体１０の挿入孔１３ａ，１３ｂに挿入した係合ピン１に板バネ１４の両弾性片１４ａ，１４ｂを係脱させることができ、遊技盤３１を遊技盤収容部３２に着脱自在に取着することができる。
【符号の説明】
【００２０】
１                係合ピン
１ａ              先端部
１ｃ，１ｄ        切込部
１０              係止受容体
１０ａ，１０ｂ    板部
１１              間隙
１３ａ，１３ｂ    挿入孔
１４              板バネ
１４ａ，１４ｂ    弾性片
２０              操作軸
２０ａ            大径部
２０ｂ            小径部
２０ｃ            テーパ状部
２２              プルリング
３１              遊技盤
３２              遊技盤収容部
【図１】
2015231448.tif 000003
【図２】
2015231448.tif 000004
【図３】
2015231448.tif 000005
【図４】
2015231448.tif 000006
【図５】
2015231448.tif 000007
【図６】
2015231448.tif 000008
【図７】
2015231448.tif 000009
【図８】
2015231448.tif 000010
【図９】
2015231448.tif 000011
【図１０】
2015231448.tif 000012
【図１１】
2015231448.tif 000013